(57)【要約】【課題】ロータの抜け防止のためロータを引き付ける吸引板を有する永久磁石電動機においては、永久磁石の軸方向長さ中心とステータコアの厚み中心とのずれ量、すなわち磁気センターすれ量が必ずしも最適化されていないため、回転駆動時に磁気的にバランスがとれずロータを引き付ける吸引力に変動が生じ、軸方向の加振力が発生して振動・騒音が増大する。【解決手段】図１において１は永久磁石、２はハブ、３は吸引板、４はステータコア、５はベース、６はシャフト、７はスリーブ、８はスラスト板、９はコイルである。以上のように構成された永久磁石電動機において、ベース５に対するステータコア４の高さを下げて、永久磁石１の軸方向長さ中心とステータコア４の厚み中心とのずれ量、すなわち磁気センターすれ量を調整することにより、回転駆動時にロータを引き付ける吸引力を確保しつつ磁気的にバランスをとることが可能となる。【選択図】図１ 
2005192265.tif 000002
【特許請求の範囲】
【請求項１】
永久磁石と永久磁石を保持するハブを有するロータと、ロータの抜け防止のためロータを引き付ける吸引板とステータコアと前記吸引板及びステータコアを固定するベースを有するステータから成る永久磁石電動機において、前記永久磁石の軸方向長さ中心とステータコアの厚み中心とのずれ量、すなわち磁気センターすれ量を調整することにより、回転駆動時にロータを引き付ける吸引力を確保しつつ磁気的にバランスをとることを特徴とする永久磁石電動機。
【請求項２】
永久磁石と吸引板とのギャップ長が０．１ｍｍ，０．３ｍｍ，０．５ｍｍとした場合、永久磁石とステータコアとの磁気センターずれ量に対するロータを引き付ける吸引力のリプル成分は図２のようになり、それぞれのギャップ長に対して磁気センターずれ量を０．９ｍｍ，０．２３ｍｍ，０．５６ｍｍ程度に調節することを特徴とする請求項１記載の永久磁石電動機。
【請求項３】
永久磁石とステータコアとの磁気センターずれ量を調整する手段として、ベースに対するステータコアの高さを調整することを特徴とする請求項１記載の永久磁石電動機。
【請求項４】
永久磁石とステータコアとの磁気センターずれ量を調整する手段として、ベースに対するロータの高さを調整することを特徴とする請求項１記載の永久磁石電動機。
【請求項５】
永久磁石とステータコアとの磁気センターずれ量を調整する手段として、ハブにおける永久磁石の保持する位置を調整することを特徴とする請求項１記載の永久磁石電動機。
【請求項６】
永久磁石とステータコアとの磁気センターずれ量を調整する手段として、ステータコアの厚みを調整することを特徴とする請求項１記載の永久磁石電動機。
【請求項７】
永久磁石とステータコアとの磁気センターずれ量を調整する手段として、永久磁石の軸方向長さを調整することを特徴とする請求項１記載の永久磁石電動機。
【請求項８】
ステータコアの材質を圧紛磁性体とすることを特徴とする請求項１記載の永久磁石電動機。
【請求項９】
吸引板を分割することを特徴とする請求項１記載の永久磁石電動機。
【請求項１０】
請求項１記載の永久磁石電動機を搭載した磁気記録装置。
【発明の詳細な説明】
【技術分野】
【０００１】
本件発明は、永久磁石電動機に関するものである。
【背景技術】
【０００２】
従来の永久磁石電動機は図１０に示すように、永久磁石１と永久磁石１を保持するハブ２を有するロータと、ロータの抜け防止のためロータを引き付ける吸引板３とステータコア４と前記吸引板３及びステータコア４を固定するベース５を有するステータから構成された電動機であって、永久磁石１の軸方向長さ中心とステータコア４の厚み中心とのずれ量、すなわち磁気センターすれ量が必ずしも最適に調整されてはいない。
【特許文献１】特開平１−１４８０５３号公報
【発明の開示】
【発明が解決しようとする課題】
【０００３】
上記従来技術の永久磁石電動機においては、永久磁石とステータコアとの磁気センターずれ量が必ずしも最適に調整されていないため、回転駆動時に磁気的にバランスがとれずロータを引き付ける吸引力に変動が生じ、軸方向の加振力が発生して振動・騒音が増大する。
本件発明はこのような課題を鑑み、永久磁石とステータコアとの磁気センターずれ量を調整することにより、回転駆動時にロータを引き付ける吸引力を確保しつつ、磁気的にバランスをとることで軸方向の加振力を低減し、低振動・低騒音化を図ることを目的とする。
【課題を解決するための手段】
【０００４】
本件発明は、永久磁石と永久磁石を保持するハブを有するロータと、ロータの抜け防止のためロータを引き付ける吸引板とステータコアと前記吸引板及びステータコアを固定するベースを有するステータから成る永久磁石電動機において、前記永久磁石の軸方向長さ中心とステータコアの厚み中心とのずれ量、すなわち磁気センターすれ量を調整することにより、回転駆動時にロータを引き付ける吸引力を確保しつつ、磁気的にバランスをとることが可能となるものである。
【発明の効果】
【０００５】
上記実施例により明らかなように、請求項１に記載の発明によれば、永久磁石の軸方向長さ中心とステータコアの厚み中心とのずれ量、すなわち磁気センターすれ量を調整することにより、回転駆動時にロータを引き付ける吸引力を確保しつつ磁気的にバランスがとれ軸方向の加振力が低減し、低振動・低騒音化が可能となる。
また、請求項２に記載の発明によれば、例えば永久磁石と吸引板とのギャップ長が０．１ｍｍ，０．３ｍｍ，０．５ｍｍとした場合、永久磁石とステータコアとの磁気センターずれ量に対するロータを引き付ける吸引力のリプル成分は図２のようになり、それぞれのギャップ長に対して磁気センターずれ量を０．９ｍｍ，０．２３ｍｍ，０．５６ｍｍ程度に調節することにより、回転駆動時にロータを引き付ける吸引力を確保しつつ磁気的にバランスがとれ軸方向の加振力が低減し、低振動・低騒音化が可能となる。
また、請求項３に記載の発明によれば、ベースに対するステータコアの高さを変更することにより、永久磁石とステータコアとの軸方向のずれ量を調整することができ、回転駆動時に磁気的にバランスがとれ軸方向の加振力が低減し、低振動・低騒音化が可能となる。また、請求項４に記載の発明によれば、ベースに対するロータの高さを変更することにより、永久磁石とステータコアとの軸方向のずれ量を調整することができ、回転駆動時に磁気的にバランスがとれ軸方向の加振力が低減し、低振動・低騒音化が可能となる。
また、請求項５に記載の発明によれば、ハブにおける永久磁石の保持する位置を変更する
ことにより、永久磁石とステータコアとの軸方向のずれ量を調整することができ、回転駆動時に磁気的にバランスがとれ軸方向の加振力が低減し、低振動・低騒音化が可能となる。
また、請求項６に記載の発明によれば、ステータコアの厚みを変更することにより、永久磁石とステータコアとの軸方向のずれ量を調整することができ、回転駆動時に磁気的にバランスがとれ軸方向の加振力が低減し、低振動・低騒音化が可能となる。
また、請求項７に記載の発明によれば、永久磁石の軸方向長さを変更することにより、永久磁石とステータコアとの軸方向のずれ量を調整することができ、回転駆動時に磁気的にバランスがとれ軸方向の加振力が低減し、低振動・低騒音化が可能となる。
また、請求項８及び請求項９に記載の発明によれば、渦電流の発生を抑制することができ、永久磁石電動機の高効率化を実現することが可能となる。さらに渦電流による発熱を抑制することもできる。
【発明を実施するための最良の形態】
【０００６】
本件発明は、永久磁石と永久磁石を保持するハブを有するロータと、ロータの抜け防止のためロータを引き付ける吸引板とステータコアと前記吸引板及びステータコアを固定するベースを有するステータから成る永久磁石電動機において、前記永久磁石の軸方向長さ中心とステータコアの厚み中心とのずれ量、すなわち磁気センターすれ量を調整することにより、回転駆動時にロータを引き付ける吸引力を確保しつつ、磁気的にバランスをとる。また、永久磁石とステータコアとの軸方向のずれ量を調整する手段として、ベースに対するステータコアの高さを調整することで、磁気的にバランスをとることができる。
また、永久磁石とステータコアとの軸方向のずれ量を調整する手段として、ベースに対するロータの高さを調整してもよい。
また、永久磁石とステータコアとの軸方向のずれ量を調整する手段として、ハブにおける永久磁石の保持する位置を調整してもよい。
また、永久磁石とステータコアとの軸方向のずれ量を調整する手段として、ステータコアの厚みを調整してもよい。
また、永久磁石とステータコアとの軸方向のずれ量を調整する手段として、永久磁石の軸方向長さを調整してもよい。
また、ステータコアの材質を圧紛磁性体とするものである。
また、吸引板にスロットを設けるものである。
また、本発明の永久磁石電動機を磁気記録装置に搭載したものである。
【実施例１】
【０００７】
以下本発明の実施例について図面を参照して説明する。
図１は本発明の第１の実施例における永久磁石電動機の断面図を示しており、図１において１は永久磁石、２はハブ、３は吸引板、４はステータコア、５はベース、６はシャフト、７はスリーブ、８はスラスト板、９はコイルである。以上のように構成された永久磁石電動機において、例えば永久磁石と吸引板とのギャップ長が０．１ｍｍ，０．３ｍｍ，０．５ｍｍとした場合、永久磁石とステータコアとの磁気センターずれ量に対するロータを引き付ける吸引力のリプル成分は図２のようになり、それぞれのギャップ長に対して磁気センターずれ量を０．９ｍｍ，０．２３ｍｍ，０．５６ｍｍ程度になるように、図１に示すようにベース５に対するステータコア４の高さを下げて、永久磁石１とステータコア４との磁気センターずれ量を調整することにより、回転駆動時にロータを引き付ける吸引力を確保しつつ磁気的にバランスをとることが可能となる。
なお、以上の説明ではベース５に対するステータコア４の高さを下げて調整を行うものであったが、必ずしも高さを下げるものとは限らない。
【実施例２】
【０００８】
図３は本発明の第２の実施例における永久磁石電動機の断面図を示しており、図３におい
て１は永久磁石、２はハブ、３は吸引板、４はステータコア、５はベース、６はシャフト、７はスリーブ、８はスラスト板、９はコイルである。以上のように構成された永久磁石電動機において、図３に示すようにベース５に対するロータの高さを上げて、永久磁石１とステータコア４との軸方向のずれ量を調整することにより、回転駆動時に磁気的にバランスをとることが可能となる。
なお、以上の説明ではベース５に対するロータの高さを上げて調整を行ったが、必ずしも高さを上げるものとは限らない。
【実施例３】
【０００９】
図４は本発明の第３の実施例における永久磁石電動機の断面図を示しており、図４において１は永久磁石、２はハブ、３は吸引板、４はステータコア、５はベース、６はシャフト、７はスリーブ、８はスラスト板、９はコイルである。以上のように構成された永久磁石電動機において、図４に示すように、ハブにおける永久磁石の保持する位置を上げて、永久磁石１とステータコア４との軸方向のずれ量を調整することにより、回転駆動時に磁気的にバランスをとることが可能となる。
なお、以上の説明ではハブにおける永久磁石の保持する位置を上げて調整を行ったが、必ずしも位置を上げるものとは限らない。
【実施例４】
【００１０】
図５は本発明の第４の実施例における永久磁石電動機の断面図を示しており、図５において１は永久磁石、２はハブ、３は吸引板、４はステータコア、５はベース、６はシャフト、７はスリーブ、８はスラスト板、９はコイルである。以上のように構成された永久磁石電動機において、図５に示すように、ステータコアの厚みを薄くし、永久磁石１とステータコア４との軸方向のずれ量を調整することにより、回転駆動時に磁気的にバランスをとることが可能となる。
なお、以上の説明ではステータコアの厚みを薄くして調整を行ったが、必ずしも厚みを薄くするものとは限らない。
【実施例５】
【００１１】
図６は本発明の第５の実施例における永久磁石電動機の断面図を示しており、図６において１は永久磁石、２はハブ、３は吸引板、４はステータコア、５はベース、６はシャフト、７はスリーブ、８はスラスト板、９はコイルである。以上のように構成された永久磁石電動機において、図６に示すように、永久磁石の軸方向長さを長くし、永久磁石１とステータコア４との軸方向のずれ量を調整することにより、回転駆動時に磁気的にバランスをとることが可能となる。
なお、以上の説明では永久磁石の軸方向長さを長くして調整を行ったが、必ずしも軸方向長さを長くするものとは限らない。
【実施例６】
【００１２】
図７は本発明の第６の実施例における永久磁石電動機の断面図を示しており、図７において１は永久磁石、２はハブ、３は吸引板、４はステータコア、５はベース、６はシャフト、７はスリーブ、８はスラスト板、９はコイルである。図１と異なるのはステータコア４の材質を圧紛磁性体とすることである。ステータコア４の材質を圧紛磁性体とすることで、渦電流の発生を抑制できる。
【実施例７】
【００１３】
図８は本発明の第７の実施例における永久磁石電動機の断面図を示しており、図８において１は永久磁石、２はハブ、３は吸引板、４はステータコア、５はベース、６はシャフト、７はスリーブ、８はスラスト板、９はコイルである。図１と異なるのは、図９に示すように吸引板３を分割していることである。吸引板３を分割することで、渦電流の発生を抑
制できる。
【産業上の利用可能性】
【００１４】
本発明にかかる永久磁石電動機は回転駆動時にロータを引き付ける吸引力を確保しつつ磁気的にバランスがとれ軸方向の加振力が低減し、低振動・低騒音化が可能となるのでスピンドルモータ等の永久磁石電動機に有効である。
【図面の簡単な説明】
【００１５】
【図１】本発明の第１の実施例における永久磁石電動機を示す断面図
【図２】本発明の第１の実施例における磁気センターずれ量に対する吸引力リプルの特性グラフ
【図３】本発明の第２の実施例における永久磁石電動機を示す断面図
【図４】本発明の第３の実施例における永久磁石電動機を示す断面図
【図５】本発明の第４の実施例における永久磁石電動機を示す断面図
【図６】本発明の第５の実施例における永久磁石電動機を示す断面図
【図７】本発明の第６の実施例における永久磁石電動機を示す断面図
【図８】本発明の第７の実施例における永久磁石電動機を示す断面図
【図９】本発明の第７の実施例における吸引板の斜視図
【図１０】従来の永久磁石電動機を示す断面図
【符号の説明】
【００１６】
１  永久磁石
２  ハブ
３  吸引板
４  ステータコア
５  ベース
６  シャフト
７  スリーブ
８  スラスト板
９  コイル
【図１】
2005192265.tif 000003
【図２】
2005192265.tif 000004
【図３】
2005192265.tif 000005
【図４】
2005192265.tif 000006
【図５】
2005192265.tif 000007
【図６】
2005192265.tif 000008
【図７】
2005192265.tif 000009
【図８】
2005192265.tif 000010
【図９】
2005192265.tif 000011
【図１０】
2005192265.tif 000012